(57)【要約】【課題】画像の整理を簡潔に行えるようにする。【解決手段】ＣＰＵ２１が、メモリカード１７に記憶されている画像データファイルが有している属性についての指示を操作入力部２３から取得し、当該画像データファイルが当該指示に係る属性を有しているか否かを識別し、メモリカード１７に記憶されている他の画像データファイルのうち当該指示に係る属性を共通に有しているものについてのファイル名を記したアルバムリストを有するアルバムリストファイルを生成することにより、画像のアルバム管理を行う。【選択図】  図１
2010161813.tif 000002
【特許請求の範囲】
【請求項１】
画像データファイルが有している属性についての指示を取得する属性指示取得手段と、
画像データファイルが上記指示に係る属性を有しているか否かを識別する属性識別手段と、
上記指示に係る属性を共通に有している画像データファイルを特定する特定情報を記した制御データファイルを生成する制御データファイル生成手段と、
を有することを特徴とする画像データ管理装置。
【請求項２】
上記属性は、画像データファイルの作成日、画像データファイルで表現されている画像が動画像か静止画かの別、画像データファイルで表現されている画像のサイズ、あるいは画像データファイルが消去禁止か消去許可かの別、のうちのいずれかであることを特徴とする請求項１に記載の画像データ管理装置。
【請求項３】
画像を表示する表示手段を更に有し、
上記属性指示取得手段は、上記表示手段に表示中の画像を表している画像データファイルが有しているものと同一の属性を上記指示として取得する、
ことを特徴とする請求項１に記載の画像データ管理装置。
【請求項４】
上記表示手段に表示中の画像を表している画像データファイルの属性を表示する属性表示手段を更に有することを特徴とする請求項３に記載の画像データ管理装置。
【請求項５】
画像を表示する表示手段と、
上記表示手段に表示中の画像を表している画像データファイルについての特定情報が記されている制御データファイルの存在の有無を報知する報知手段と、
を更に有することを特徴とする請求項１に記載の画像データ管理装置。
【請求項６】
上記報知手段は、上記制御データファイルが存在するときには、当該制御データファイルを特定する情報を報知することを特徴とする請求項５に記載の画像データ管理装置。
【請求項７】
上記制御データファイルの識別情報についての指示を取得する識別情報指示取得手段を更に有し、
上記制御データファイル生成手段は、生成する制御データファイルに上記識別情報を関連付ける、
ことを特徴とする請求項１に記載の画像データ管理装置。
【請求項８】
上記属性指示取得手段は、画像データファイルが有している属性についての２つの指示である第一の指示及び第二の指示を取得し、
上記制御データファイル生成手段は、上記第一の指示に係る属性を有している画像データファイルのうち上記第二の指示に係る属性をも有しているものについての上記制御データファイルを生成する、
ことを特徴とする請求項１に記載の画像データ管理装置。
【請求項９】
画像データファイルが有している属性についての指示を取得し、
画像データファイルが上記指示に係る属性を有しているか否かを識別し、
上記指示に係る属性を共通に有している画像データファイルを特定する特定情報を記した制御データファイルを生成する、
ことを特徴とする画像データ管理方法。
【請求項１０】
画像データファイルが有している属性についての指示を取得する処理と、
画像データファイルが上記指示に係る属性を有しているか否かを識別する処理と、
上記指示に係る属性を共通に有している画像データファイルを特定する特定情報を記した制御データファイルを生成する処理と、
をコンピュータに行わせるためのプログラム。
【発明の詳細な説明】
【技術分野】
【０００１】
本発明は、データ管理技術に関し、特に、記憶媒体に記憶されている画像データの管理技術に関する。
【背景技術】
【０００２】
昨今のデジタルカメラ等を含む画像管理装置には、「アルバム」という機能を有しているものがある。アルバム機能は、記憶媒体に記録されている画像データで表されている画像を１以上のグループ（アルバム）に纏めておき、各アルバムに含まれている画像をアルバム毎に閲覧・管理等するというものである。
【０００３】
ここで、アルバム機能を実現する画像データの管理手法の一例について、図１４を用いて説明する。
図１４において、画像管理装置であるカメラ１００には、着脱自在な記憶媒体であるメモリカード２００が装着されており、各種のデータをメモリカード２００に記憶しておくことができる。このメモリカード２００には、画像ルートフォルダ３００とアルバムリストファイル４０１−１、４０２−２、…、４０２−ｎ、…とが記憶される。
【０００４】
画像ルートフォルダ３００は、画像データファイルを格納する根元のフォルダである。
画像を表している画像データは、画像ルートフォルダ（「ＤＣＩＭ」フォルダ）３００内の画像格納フォルダ（「１００ＯＬＹＭＰ」フォルダ）３１０に、画像データファイル３１１−１、３１１−２、…、３１１−ｎ、…（以下、代表して「３１１」と示す）として各々格納される。画像データファイル３１１には、格納されている画像データについての属性を示す属性情報が、例えば画像データのヘッダ情報として格納されている。この属性情報としては、例えば、その画像データで表されている画像の撮影日情報、その画像のサイズを示す情報、その画像の品質（データ圧縮されている画像データの圧縮の程度）を示す情報、その画像が静止画であるか動画像であるかの識別情報、この画像データファイル３１１に音声データが添付されているか否かの識別情報、この画像データファイル３１１の消去を禁止するか許容するかの識別情報（消去プロテクト情報）などがある。
【０００５】
なお、図１４において、画像データファイル３１１の各々に示されている「Ｐ００１」、「Ｐ００２」、「Ｐｘｘｘ」の文字は、画像データファイル３１１の各々に与えられているファイル名であり、このファイル名における数字部分が画像の撮影順を示している。また、図１４では明示していないが、ファイル名には拡張子が付されており、以下の説明においては、画像データファイル３１１で表されている画像が静止画であるか動画像であるかの識別をこの拡張子に基づいて行うこともできるものとする。
【０００６】
アルバムリストファイル４０１−１、４０１−２、…、４０１−ｎ、…（以下、代表して「４０１」と示す）は制御データファイルであり、画像データファイル３１１の各々と画像データファイル３１１で表されている画像が登録されている（画像データファイル３１１が属している）アルバムとの従属関係を表しているアルバムリスト４０２−１、４０２−２、…、４０２−ｎ、…（以下、代表して「４０２」と示す）が各々示されている。
【０００７】
アルバムリスト４０２は、アルバムに登録されている画像についての画像データファイル３１１を特定する情報として、各画像データファイル３１１のファイル名が並べられている。アルバムリスト４０２におけるファイル名の並び順は、そのアルバムに登録されている画像の再生表示を行うときにおける再生順序を示す順序情報として利用される。
【０００８】
また、アルバムリストファイル４０１の各々には、「ＡＬＢＵＭｎ」なるアルバム名が識別情報として付加されており、アルバム名とアルバムリスト４０２とが対応付けられている。なお、本実施形態においては、各アルバムには、「ＡＬＢＵＭ１」、「ＡＬＢＵＭ２」、「ＡＬＢＵＭ３」、…などと、名称が数字の昇順に定められるものとする。
【０００９】
また、図１４においては、説明を簡単にするため、データ内容の異なるデータファイルのファイル名が画像ルートフォルダ３００内で重複することはないものとしている。従って、アルバムリスト４０２に示されているファイル名のみで、画像ルートフォルダ３００下の画像データファイル３１１を唯一つに特定することができる。ここで、例えば画像データファイル３１１のファイル名に加えてその画像データファイル３１１の格納位置等を示す情報（ファイルパス名など）をアルバムリスト４０２に示すようにすると、画像ルートフォルダ３００下の異なる画像格納フォルダ３１０に格納されている画像データファイル３１１のファイル名が重複していても画像データファイル３１１を唯一つに特定することができる。
【００１０】
図１４に示した例では、画像データファイル３１１をこのようにして管理することにより、カメラ１０でアルバム機能が利用可能となる。
なお、このような画像データの管理手法に類する技術として、例えば特許文献１には、画像データをヘッダ情報と組み合わせた画像情報ファイルとして記録媒体に複数記録する際に、データ形式、画素サイズ、データ圧縮方式などといった各画像データについての関連情報と、各画像データの各画像情報ファイル内における先頭格納位置を示すポインタとをコントロールファイルに記述して記録媒体に記録しておくようにし、関連情報が同一である画像データの連続再生における後続の画像データの再生時には、コントロールファイルに示されているポインタを参照することにより、画像情報ファイルからヘッダ情報を読み込むことなく画像データのみを読み込めるようにして、高速再生を可能とする技術が開示されている。
【先行技術文献】
【特許文献】
【００１１】
【特許文献１】特開平５−３０７５９３号公報
【発明の概要】
【発明が解決しようとする課題】
【００１２】
従来、上述したアルバム機能を利用して画像を整理する場合、画像ルートフォルダ３００に格納されている画像データファイル３１１の画像を順次再生し、ひとつひとつ再生画像を選択してアルバムへ登録するという作業をユーザは行っていた。しかしながら、多数の画像データファイル３１１がメモリカード２００に記憶されている場合や、アルバムへの登録を所望する画像データファイル３１１が順次再生において離れた順序で再生される場合などでは、画像の選択・登録が非常に煩雑な作業となるため、概して使い辛いものとなってしまっていた。
【００１３】
本発明は上述した問題に鑑みてなされたものであり、その解決しようとする課題は、画像の整理を簡潔に行えるようにすることである。
【課題を解決するための手段】
【００１４】
本発明の態様のひとつである画像データ管理装置は、画像データファイルが有している属性についての指示を取得する属性指示取得手段と、画像データファイルが上記指示に係る属性を有しているか否かを識別する属性識別手段と、上記指示に係る属性を共通に有している画像データファイルを特定する特定情報を記した制御データファイルを生成する制御データファイル生成手段と、を有することを特徴とするものであり、この特徴によって前述した課題を解決する。
【００１５】
なお、上述した本発明に係る画像データ管理装置において、上記属性は、画像データファイルの作成日、画像データファイルで表現されている画像が動画像か静止画かの別、画像データファイルで表現されている画像のサイズ、あるいは画像データファイルが消去禁止か消去許可かの別、のうちのいずれかであるようにしてもよい。
【００１６】
また、前述した本発明に係る画像データ管理装置において、画像を表示する表示手段を更に有し、上記属性指示取得手段は、上記表示手段に表示中の画像を表している画像データファイルが有しているものと同一の属性を上記指示として取得するようにしてもよい。
【００１７】
また、前述した本発明に係る画像データ管理装置において、上記表示手段に表示中の画像を表している画像データファイルの属性を表示する属性表示手段を更に有するように構成してもよい。
【００１８】
また、前述した本発明に係る画像データ管理装置において、画像を表示する表示手段と、上記表示手段に表示中の画像を表している画像データファイルについての特定情報が記されている制御データファイルの存在の有無を報知する報知手段と、を更に有するように構成してもよい。
【００１９】
また、前述した本発明に係る画像データ管理装置において、上記報知手段は、上記制御データファイルが存在するときには、当該制御データファイルを特定する情報を報知するようにしてもよい。
【００２０】
また、前述した本発明に係る画像データ管理装置において、上記制御データファイルの識別情報についての指示を取得する識別情報指示取得手段を更に有し、上記制御データファイル生成手段は、生成する制御データファイルに上記識別情報を関連付けるようにしてもよい。
【００２１】
また、前述した本発明に係る画像データ管理装置において、上記属性指示取得手段は、画像データファイルが有している属性についての２つの指示である第一の指示及び第二の指示を取得し、上記制御データファイル生成手段は、上記第一の指示に係る属性を有している画像データファイルのうち上記第二の指示に係る属性をも有しているものについての上記制御データファイルを生成するようにしてもよい。
【００２２】
また、本発明の別の態様のひとつである画像データ管理方法は、画像データファイルが有している属性についての指示を取得し、画像データファイルが上記指示に係る属性を有しているか否かを識別し、上記指示に係る属性を共通に有している画像データファイルを特定する特定情報を記した制御データファイルを生成する、ことを特徴とするものであり、この特徴によって前述した課題を解決する。
【００２３】
なお、上述した本発明に係る画像データ管理方法をコンピュータに行わせるためのプログラムも、本発明に係るものである。
【発明の効果】
【００２４】
本発明は、以上のように構成することにより、画像の整理を簡潔に行えるようになるという効果を奏する。
【図面の簡単な説明】
【００２５】
【図１】本発明を実施するカメラの構成を示す図である。
【図２】図１に示したカメラの断面図である。
【図３】画像再生処理の第一の例の処理内容を示すフローチャートである。
【図４】日付一括登録処理の処理内容を示すフローチャートである。
【図５】動画一括登録処理の処理内容を示すフローチャートである。
【図６】表示部での画面表示例を示す図（その１）である。
【図７】図１に示したカメラがアルバムクイック再生機能を提供する場合における機能ブロック図である。
【図８】画像再生処理の第二の例の処理内容を示すフローチャートである。
【図９】表示部での表示画面例を示す図（その２）である。
【図１０】画像再生処理の第三の例の処理内容を示すフローチャートである。
【図１１】表示部での表示画面例を示す図（その３）である。
【図１２】図１０に示した制御処理の第一の変形例を示す図である。
【図１３】図１０に示した制御処理の第二の変形例を示す図である。
【図１４】アルバム機能の実現例を示す図である。
【発明を実施するための形態】
【００２６】
以下、本発明の実施の形態を図面に基づいて説明する。なお、ここでは、本発明をカメラで実施する形態について説明する。
まず図１について説明する。同図は本発明を実施するカメラ１０の構成を示している。なお、このカメラ１０は、図１４を用いて説明したアルバム機能を提供する。
【００２７】
図２において、撮像処理部１３、画像処理部１４、ＲＡＭ１５、メモリＩ／Ｆ１６、表示制御部１８、ＵＳＢＩ／Ｆ２０、及びＣＰＵ２１はいずれもバス２４に接続されており、ＣＰＵ２１による管理の下で相互に各種のデータの授受を行うことができる。
【００２８】
レンズ１１によって結像された被写体像は、例えばＣＣＤ（Charge Coupled Device ）である撮像部１２によって電気信号に変換されて撮像処理部１３に入力される。撮像処理部１３では、入力された電気信号を所定の大きさまで増幅した後にアナログ−デジタル変換を行い、被写体像が表されている画像を示す画像データを出力する。
【００２９】
画像処理部１４は、撮像処理部１３から出力された画像データに対して、当該画像データで表現されている画像のγ補正やエッジ強調、ホワイトバランス補正等の画像処理を施す。また、画像データをメモリカード１７に記録する場合には、当該画像データに対してデータ圧縮処理を必要に応じて行う。更に、メモリカード１７に記録されている画像データで表されている画像の再生表示を行う場合には、メモリカード１７から読み出された画像データに対してデータ伸張処理を必要に応じて行う。
【００３０】
ＲＡＭ１５は、画像処理部１４やＣＰＵ２１が各種の処理を行う際に必要に応じて作業用として使用するランダム・アクセス・メモリである。
メモリＩ／Ｆ（インタフェース）１６はメモリカード１７をバス２４に接続するインタフェースであり、ＣＰＵ２１の管理の下でメモリカード１７に対する各種のデータの読み書きを可能とする。
【００３１】
メモリカード１７は、カメラ１０に対して着脱自在な記憶媒体であり、その記憶領域では図１４に示したメモリカード２００と同様の画像データの管理がＣＰＵ２１によって行われる。なお、以下の説明においては、メモリカード１７に記憶されているデータファイルやフォルダの名称及び符号は、図１４についての説明において提示したものをそのまま用いることとする。
【００３２】
表示処理部１８は、バス２４を経て送られてきた画像データをデジタル−アナログ変換して表示部１９へ与える。
表示部１９は例えばＬＣＤ（Liquid Crystal Display）であり、表示処理部１８に入力された画像データで表されている画像を表示する。
【００３３】
ＵＳＢ（Universal Serial Bus）Ｉ／Ｆ２０は、カメラ１０と例えばパーソナル・コンピュータ（ＰＣ）等の外部機器とを接続して各種のデータの授受を行えるようにするためのインタフェースである。
【００３４】
ＣＰＵ（Central Processing Unit ）２１はこのカメラ１０全体の動作制御を行う。
ＲＯＭ２２はＣＰＵ２１によって実行される制御プログラムやその実行の際に必要に応じて使用される各種のデータが格納されているリード・オンリ・メモリであり、ＣＰＵ２１はこの制御プログラムを実行することによって上述した動作制御が可能となる。
【００３５】
操作入力部２３はカメラ１０のユーザによって操作されるスイッチ類であり、操作の内容に対応付けられているユーザからの指示を取得してＣＰＵ２１へ渡す。
図２はこのカメラ１０の背面図である。同図において、筐体３０に設けられている、撮影動作の実行指示を取得するレリーズボタン２３−１、メニュー画面の表示指示や各種動作の実行指示を取得する確定ボタン２３−２、方向指示を取得する十字ボタン２３−３、２３−４、２３−５、及び２３−６などはいずれも操作入力部２３を構成するスイッチ類である。
【００３６】
なお、図２には、前述した表示部１９とファインダ３１とが筐体３０の背面側に設けられていることも表されている。
以下、ＣＰＵ２１によって行われる、本発明に関係する各種の制御処理について説明する。なお、これより説明する各制御処理は、いずれもＲＯＭ２２に格納されている制御プログラムをＣＰＵ２１が読み出して実行することによって実現される。
【００３７】
まず、複数画像のアルバムへの一括登録機能をカメラ１０で実現させるための制御処理について説明する。この一括登録機能とは、メモリカード１７に記憶されている画像（画像データファイル３１１）が有している属性をカメラ１０自身が判別し、共通の属性を有する画像を一括してひとつのアルバム（グループ）に登録するというものである。ここで、画像が有している属性には、例えば撮影日、動画像か静止画像かの別、画像のサイズや品質（データ圧縮率）、音声データの添付の有無、消去禁止（いわゆる「プロテクト」）の設定有無、等がある。この一括登録機能をカメラ１０で提供できるようにするためには、図３から図５の各図のフローチャートで示されている制御処理をＣＰＵ２１に行わせればよい。
【００３８】
以下、図３から図５の各フローチャートについて、表示部１９での表示画面例を示している図６を併せて参照しながら説明する。
まず図３のフローチャートについて説明する。同図は画像再生処理の第一の例の処理内容を示している。この処理は、メモリカード１７に記憶されている画像を表示部１９で再生させる処理であり、この処理の実行によって上述した一括登録機能をカメラ１０で提供できるようになる。この処理は、画像再生動作を行わせる設定（再生モード）の下でカメラ１０を起動させると開始される。
【００３９】
まず、Ｓ１０１において、画像の存在のチェックが行われ、続くＳ１０２において、画像が存在するか否かの判定処理が行われる。すなわち、カメラ１０で撮影された画像についての画像データファイル３１１を格納する画像格納フォルダ３１０内に、画像データファイル３１１が存在しているか否かを判定する処理が行われる。ここで、画像が存在する（判定結果がＹｅｓ）ならばＳ１０４に処理を進める。一方、画像が存在しない（判定結果がＮｏ）ならば、Ｓ１０３において、再生すべき画像がメモリカード１７に存在しない旨を示す表示を表示部１９に所定時間行わせ、その後はこの画像再生処理を終了してユーザからの指示の待ち受けの処理に移行する。
【００４０】
Ｓ１０４では、画像格納フォルダ３１０に格納されている画像データファイル３１１のうち、カメラ１０で最後に撮影された画像についてのものを読み出し、その画像を表示部１９に表示させる処理が行われる。この処理によって表示部１９に表示される画面例を図６（ａ）に示す。この画面例の下部には、この時点での操作入力部２３の各スイッチ類に対する操作の意味を示す操作ガイドが表示されている。
【００４１】
Ｓ１０５では、表示部１９で現在表示中の画像がいずれかのアルバムに既に登録されているか否かを判定する処理が行われる。すなわち、この画像についての画像データファイル３１１のファイル名が、メモリカード１７に記憶されているアルバムリストファイル４０１のアルバムリスト４０２のいずれかに並べられているか否かを判定する処理が行われる。ここで、この画像がいずれかのアルバムに既に登録済みである（判定結果がＹｅｓである）ときにのみ、Ｓ１０６の処理、すなわち、現在表示中の画像がアルバムに登録されている旨、及びその画像の登録されているアルバムのアルバム名を示すアイコンを表示部１９に表示させる処理が行われる。
【００４２】
このＳ１０６では、より具体的には、表示中の画像についての画像データファイル３１１のファイル名が並べられているアルバムリスト４０２を格納しているアルバムリストファイル４０１をＣＰＵ２１が参照し、そのファイルに示されているアルバム名に対応するアイコンを表示部１９に表示させる処理が行われる。
【００４３】
このアイコンが重畳表示されている画像表示の例を図６（ｂ）に示す。同図の例では、表示中の画像が「ＡＬＢＵＭ１」なるアルバム名のアルバムに登録されていることを示す「Ａｌｂ１」なる文字付きのアイコンが表示されている。つまり、このアイコンが表示されることによって、表示部１９に表示中の画像についての画像データファイル３１１のファイル名が示されているアルバムリスト４０２を有するアルバムリストファイル４０１の存在すること、更には、そのファイル名が「ＡＬＢＵＭ１」なるアルバムについてのアルバムリストファイル４０１のアルバムリスト４０２に示されていること、がユーザに対して報知されるのである。
【００４４】
Ｓ１０７では、操作入力部２３に対するユーザによる操作指示を取得し、その指示の内容がアルバム登録の指示であるか否かを判定する処理が行われる。ここで、アルバム登録指示を取得したと判定した（判定結果がＹｅｓ）ならばＳ１１２に処理を進め、アルバム登録指示を取得していないと判定した（判定結果がＮｏ）ならばＳ１０８に処理を進める。
【００４５】
なお、アルバム登録の指示については、例えば、次のようにして行う。すなわち、ユーザは、図６（ａ）若しくは（ｂ）の表示がされているときに、前述した操作ガイドに従って確定ボタン２３−２を押下する。この押下を認識したＣＰＵ２１は、図６（ｃ）に例示するような再生動作メニュー画面を表示部１９に表示させる。ここで、ユーザが十字ボタン２３−３、２３−４、２３−５、及び２３−６並びに確定ボタン２３−２を押下操作して当該メニュー画面から「アルバム登録」動作の選択を行う。この選択操作によってアルバム登録の指示がなされる。
【００４６】
Ｓ１０８では、操作入力部２３に対するユーザによる操作指示を取得し、その指示の内容が、現在表示再生中の画像を切り換えて次の画像を表示させる指示であるか否かを判定する処理が行われる。ここで、次の画像を表示させる指示を取得したと判定した（判定結果がＹｅｓ）ならば、Ｓ１０９において、現在表示中のものに続く次の順序の画像を表示部１９に表示させる処理が行われ、その後はＳ１０５へと処理を戻して上述した処理が繰り返される。
【００４７】
なお、「次の画像の表示」の指示は、例えば、図６（ａ）若しくは（ｂ）の表示がされているときに、ユーザが十字ボタン２３−３、２３−４、２３−５、及び２３−６を操作することによってなされる。
【００４８】
Ｓ１０８において、次の画像を表示させる指示を取得していないと判定した（判定結果がＮｏ）ならば、Ｓ１１０において、操作入力部２３に対するユーザによる操作指示を取得し、その指示の内容がその他の処理の実行指示であるか否かを判定する処理が行われる。ここで、そのような指示を取得したと判定した（判定結果がＹｅｓ）ならば、Ｓ１１１においてその指示に対応する処理が実行され、その後はＳ１０５へと処理を戻して上述した処理が繰り返される。一方、そのような指示を取得していないと判定した（判定結果がＮｏ）ならば、Ｓ１０７へと処理を戻し、操作入力部２３に対するユーザによる操作指示の取得処理を繰り返す。
【００４９】
ここで、その他の処理の実行指示は、例えば、図６（ｃ）の再生動作メニュー画面が表示されているときに、ユーザが操作入力部２３を操作して当該メニュー画面から「アルバム登録」以外の動作の選択を行うことによってなされる。なお、この指示を取得したときに実行される処理の内容については説明を省略する。
【００５０】
前述したＳ１０７の処理において、アルバム登録指示を取得したと判定したときには、Ｓ１１２において、画像登録の可能なアルバムの一覧から登録先とするアルバムをユーザに選択させるための画面を表示部１９に表示させると共に、ユーザからのアルバム選択の指示を取得する処理が行われる。この画面例を図６（ｄ）に示す。
【００５１】
図６（ｄ）には、本（アルバム）の背表紙を模したイラストの各々に１から６までの数字が付されており、この表示により、画像の登録先のアルバムの選択候補として、「ＡＬＢＵＭ１」から「ＡＬＢＵＭ６」までの６つのアルバムがあることが分かる。また、同図において、「１」の数字が矩形で囲まれて表示されているが、これは、「ＡＬＢＵＭ１」が画像の登録先として選択されていることを示している。更に、同図の左端に示されている「６５／１００」の数字は、現在選択されている「ＡＬＢＵＭ１」は画像を「１００」枚まで登録することが可能であり、現在は「６５」枚の画像が登録されていることを示している。
【００５２】
ここで、画像の登録先のアルバムの選択候補の切り換えは、ユーザが十字ボタン２３−３、２３−４、２３−５、及び２３−６を操作することによってなされ、ユーザが確定ボタン２３−２を押下するとその時点で選択されていたアルバムが画像の登録先として確定し、ＣＰＵ２１はそのアルバムをユーザによるアルバム選択の指示として取得する。
【００５３】
Ｓ１１３では、アルバムに登録する対象画像（画像データファイル）が共通に有する属性についての指示をユーザに選択させるための画面（属性メニュー画面）を表示部１９に表示させると共に、ユーザからの当該属性の指示を取得する処理が行われる。この画面例を図６（ｅ）に示す。
【００５４】
図６（ｅ）に示す属性メニュー画面には、アルバムに登録する対象画像に共通する属性として、同日の撮影日である画像を同一アルバムに一括登録する「日付で一括」、同一の画像サイズである画像を同一アルバムに一括登録する「画像サイズで一括」、動画像を同一アルバムに一括登録する「動画で一括」、音声データが添付されている画像データファイル３１１で表されている画像を同一アルバムに一括登録する「音声付画像で一括」、及び、消去禁止の設定がなされている画像データファイル３１１で表されている画像を同一アルバムに一括登録する「消去禁止画像で一括」の各選択肢が示されている。
【００５５】
ユーザが操作入力部２３を操作して当該メニュー画面からこれらの選択肢のうちの１つを選択すると、ＣＰＵ２１はその選択肢をユーザからの属性の指示として取得する。
なお、上述したＳ１１２の処理とＳ１１３の処理との実行順序を逆にし、属性の指示を先に取得してから画像の一括登録先であるアルバムを特定する指示を取得するようにしてもよい。
【００５６】
Ｓ１１４では、前述したＳ１１３の処理によって取得された属性に応じたアルバムへの一括登録処理が実行される。この処理の詳細については後述する。
Ｓ１１５では、Ｓ１０８と同様の処理、すなわち、操作入力部２３に対するユーザによる操作指示を取得し、その指示の内容が現在表示再生中の画像を切り換えて次の画像を表示させる指示であるか否かを判定する処理が行われる。ここで、次の画像を表示させる指示を取得したと判定した（判定結果がＹｅｓ）ならば、Ｓ１１６において、現在表示中のものに続く次の順序の画像を表示部１９に表示させる処理が行われ、その後はＳ１０５へと処理を戻して上述した処理が繰り返される。一方、次の画像を表示させる指示を取得していないと判定した（判定結果がＮｏ）ならば、このＳ１１５の処理を繰り返す。
【００５７】
以上までの処理が画像再生処理である。
次に図４について説明する。同図に示すフローチャートは日付一括登録処理の処理内容を示している。この処理は、前述した画像再生処理におけるＳ１１３の処理において、アルバムに登録する対象画像に共通する属性として、表示中の画像と同日の撮影日という属性がユーザから指示された場合（図６（ｅ）の画面例に示す選択肢から「日付で一括」が選択された場合）に、Ｓ１１４の処理として実行されるものである。
【００５８】
図４において、まず、Ｓ１２１では、カレンダー表示を表示部１９に表示させる処理が行われる。
カレンダー表示の表示画面例を図６（ｆ）に示す。同図の画面には、図６（ａ）若しくは図６（ｂ）に示されている画像と同日の撮影日に撮影された画像の一覧が表示され、更に、その上部には、それらの画像に共通する属性をユーザに認知させる表示として、その撮影日の日付が表示されている。そして、この画像の一覧のうち、アルバム指定画面を直近に表示させる前に表示部１９に表示させていた画像が太枠で囲まれて表示されている。
【００５９】
Ｓ１２１の処理が開始されると、ＣＰＵ２１はメモリカード１７に記憶されている画像データファイル３１１に各々示されている属性情報のうちの撮影日情報を参照する。そして、その中から、それまで表示部１９に表示させていた画像についての画像データファイル３１１中の属性情報における撮影日情報で示されている撮影日と同日の撮影日が示されているものを抽出する。その後、抽出された画像データファイル３１１についての画像の一覧をその撮影日の日付と共に表示部１９に表示させ、上記の画像を太枠で囲むことにより、図６（ｆ）の画面が表示される。
【００６０】
続くＳ１２２では、表示中の画像と同日の撮影日である画像を同一アルバムへ一括登録する処理の実行指示、若しくはその処理の実行中止指示を要求する画面を表示部１９に表示させる処理が行われる。
【００６１】
この画面（一括登録実行指示画面）の画面例を図６（ｇ）に示す。ＣＰＵ２１は、前述したカレンダー表示画面が表示されているときに操作入力部２３の確定ボタン２３−２に対する押下操作を検出したときにこの画面を表示部１９に表示させる。ここで、ユーザが操作入力部２３を更に操作して、「登録」若しくは「中止」のいずれかを選択する。
【００６２】
Ｓ１２３において、このユーザによる選択が「登録」であったか否かを判定する処理が行われる。ここで、「登録」が選択された（判定結果がＹｅｓ）ならばＳ１２４に処理を進め、「中止」が選択された（判定結果がＮｏ）ならばＳ１３３に処理を進める。
【００６３】
Ｓ１２４では、前述したＳ１１２（図３）の処理によって取得された登録先のアルバムに登録可能な画像の枚数「ｎ」を算出する処理が行われる。
本実施形態においては、アルバムに登録可能な画像の総枚数は予め定められている（例えば各アルバム１００枚）ものとする。従って、このＳ１２４の処理では、この登録可能な総枚数から、登録先のアルバムに現在登録されている画像の枚数を減算することによって、登録可能な残り枚数を算出する。
【００６４】
Ｓ１２５では、表示中であった画像の撮影日、すなわち、その画像についての画像データファイル３１１の属性情報における撮影日情報で示されている撮影日の日付を取得する処理が行われる。
【００６５】
Ｓ１２６では、メモリカード１７に記憶されている画像データファイル３１１のうちのひとつを参照する。そして、続くＳ１２７において、その参照中の画像データファイル３１１が、表示中であった画像についての画像データファイル３１１と同一の画像撮影日の属性を有しているか否か、すなわち、参照中の画像データファイル３１１の属性情報に示されている撮影日情報が、Ｓ１２５の処理によって取得されたものと同日の撮影日を示しているか否かを判定する処理が行われる。ここで、撮影日が同日であった（判定結果がＹｅｓ）のときにのみ、Ｓ１２８において、参照中の画像データファイル３１１のファイル名をＲＡＭ１５の所定の記憶領域に記憶させておく処理が行われ、更に、今回の日付一括登録処理において登録先のアルバムに登録することとなる画像の枚数を計数する変数「ｍ」の値をインクリメント（１だけ増加させる）処理が行われる。
【００６６】
Ｓ１２９では、メモリカード１７に記憶されている画像データファイル３１１の全てについて、上述したＳ１２６及びＳ１２７の処理による撮影日のチェックを済ませたか否かを判定する処理が行われ、全て済ませた（判定結果がＹｅｓ）ならばＳ１３１に処理を進め、一方、未チェックのものが残っている（判定結果がＮｏ）ならばＳ１３０に処理を進める。
【００６７】
Ｓ１３０では、今回の日付一括登録処理において登録先のアルバムに登録することとなる画像の枚数が、登録先のアルバムに現在登録可能な画像の枚数よりも少なく、更なる一括登録が可能であるか否か、すなわち、前述した「ｍ」の値が前述した「ｎ」の値よりも少ないか否かを判定する処理が行われる。ここで、更なる一括登録が尚も可能であると判定したとき（判定結果がＹｅｓのとき）にはＳ１２６へと処理を戻して上述した処理が繰り返される。一方、更なる一括登録はもはや不可能であると判定したとき（判定結果がＮｏのとき）にはＳ１３１に処理を進める。
【００６８】
Ｓ１３１では、今回のこの日付一括登録処理においてアルバムへ登録すべき画像が存在するか否か、すなわち、前述したＳ１２８の処理の実行によってＲＡＭ１５に記憶させたファイル名が存在するか否かを判定する処理が行われる。ここで、アルバムへ登録すべき画像が存在する（判定結果がＹｅｓ）のときにのみ、Ｓ１３２において、登録先のアルバムについてのアルバムリストファイル４０１に示されているアルバムリスト４０２を参照し、ＲＡＭ１５に記憶させているファイル名をそのリストの末尾に順次追加してアルバムリスト４０２を更新し、アルバムの識別情報であるアルバム名をそのアルバムリスト４０２に関連付けたアルバムリストファイル４０１を生成する処理が行われる。
【００６９】
Ｓ１３３では、前述したＳ１２２の処理によって表示部１９に表示させていた一括登録実行指示画面（図６（ｇ）に例示した画面）を消して、図３のＳ１１２の処理の実行以前に表示部１９に表示させていた撮影画像の表示画面（図６（ａ）若しくは図６（ｂ）に例示した画面）へ表示を戻す処理が行われる。その後はこの日付一括登録処理を終了し、図３へと処理を戻す。
【００７０】
なお、このときに表示される撮影画像が上述した処理によって一括登録されたときには、撮影画像の表示画面は、それまでは図６（ａ）のものであったものから図６（ｂ）に示すようなアイコン付きの画面へと変更されて表示される。
【００７１】
以上までの処理が日付一括登録処理である。この処理では、ユーザから日付一括登録の指示を受けると、そのときに表示部１９で表示されていた画像の撮影日をＣＰＵ２１自身で検出し、その撮影日と同一の画像を一括して同一のアルバムへ登録するので、画像データの整理が簡潔に行える。しかも、一括登録する画像の撮影日を指定するためのカメラ１０の操作は不要である。
【００７２】
なお、前述した画像再生処理におけるＳ１１３の処理において、アルバムに登録する対象画像に共通する属性として同一サイズの画像という属性がユーザから指示された場合（図６（ｅ）の画面例に示す選択肢から「画像サイズで一括」が選択された場合）に、Ｓ１１４の処理として実行される処理も、図４に示した日付一括登録処理と基本的には同様の処理内容となる。但し、Ｓ１２１において同一サイズの画像の一覧を表示する点と、Ｓ１２５、Ｓ１２６、及びＳ１２７の対象が、画像データファイル３１１の属性情報における画像サイズ情報となる点とで異なるものとなる。
【００７３】
次に図５について説明する。同図に示すフローチャートは、動画一括登録処理の処理内容を示している。この処理は、前述した画像再生処理におけるＳ１１３の処理において、アルバムに登録する対象画像に共通する属性として、動画像という属性がユーザから指示された場合（図６（ｅ）の画面例に示す選択肢から「動画で一括」が選択された場合）に、Ｓ１１４の処理として実行されるものである。
【００７４】
図５において、まず、Ｓ１４１では、動画像を同一アルバムへ一括登録する処理の実行指示、若しくはその処理の実行中止指示を要求する画面を表示部１９に表示させる処理が行われる。
【００７５】
この画面（一括登録実行指示画面）は、例えば図６（ｇ）の画面とすることができる。ここで、ユーザが操作入力部２３を操作して、「登録」若しくは「中止」のいずれかを選択する。
【００７６】
Ｓ１４２において、このユーザによる選択が「登録」であったか否かを判定する処理が行われる。ここで、「登録」が選択された（判定結果がＹｅｓ）ならばＳ１４３に処理を進め、「中止」が選択された（判定結果がＮｏ）ならばＳ１５１に処理を進める。
【００７７】
Ｓ１４３では、前述したＳ１１２（図３）の処理によって取得された登録先のアルバムに登録可能な画像の枚数「ｎ」を算出する処理が行われる。この処理は、前述した日付一括登録処理におけるＳ１２４（図４）の処理と同様である。
【００７８】
Ｓ１４４では、メモリカード１７に記憶されている画像データファイル３１１のうちのひとつを参照する。そして、続くＳ１４５において、その参照中の画像データファイル３１１が動画像であるか否か、すなわち、参照中の画像データファイル３１１の拡張子が動画像ファイルを示すものであるか否かを判定する処理が行われる。ここで、動画像であった（判定結果がＹｅｓ）のときにのみ、Ｓ１４６において、参照中の画像データファイル３１１のファイル名をＲＡＭ１５の所定の記憶領域に記憶させておく処理が行われ、更に、今回の動画一括登録処理において登録先のアルバムに登録することとなる画像の枚数を計数する変数「ｍ」の値をインクリメント（１だけ増加させる）処理が行われる。
【００７９】
なお、画像が動画像であるか否かの判定を、画像データファイル３１１の拡張子に基づいて行う代わりに、画像データファイル３１１の属性情報に示されている識別情報に基づいて行うようにしてもよい。
【００８０】
Ｓ１４７では、メモリカード１７に記憶されている画像データファイル３１１の全てについて、上述したＳ１４４及びＳ１４５の処理による動画像であるか否かのチェックを済ませたか否かを判定する処理が行われ、全て済ませた（判定結果がＹｅｓ）ならばＳ１４９に処理を進め、一方、未チェックのものが残っている（判定結果がＮｏ）ならばＳ１４８に処理を進める。
【００８１】
Ｓ１４８では、今回の動画一括登録処理において登録先のアルバムに登録することとなる画像の枚数が、登録先のアルバムに現在登録可能な画像の枚数よりも少なく、更なる一括登録が可能であるか否か、すなわち、前述した「ｍ」の値が前述した「ｎ」の値よりも少ないか否かを判定する処理が行われる。ここで、更なる一括登録がなおも可能であると判定したとき（判定結果がＹｅｓのとき）にはＳ１４４へと処理を戻して上述した処理が繰り返される。一方、更なる一括登録はもはや不可能であると判定したとき（判定結果がＮｏのとき）にはＳ１４９に処理を進める。
【００８２】
Ｓ１４９では、今回のこの動画一括登録処理においてアルバムへ登録すべき画像が存在するか否か、すなわち、前述したＳ１４６の処理の実行によってＲＡＭ１５に記憶させたファイル名が存在するか否かを判定する処理が行われる。ここで、アルバムへ登録すべき画像が存在する（判定結果がＹｅｓ）のときにのみ、Ｓ１５０において、登録先のアルバムについてのアルバムリストファイル４０１に示されているアルバムリスト４０２を参照し、ＲＡＭ１５に記憶させているファイル名をそのリストの末尾に順次追加してアルバムリスト４０２を更新し、アルバムの識別情報であるアルバム名をそのアルバムリスト４０２に関連付けたアルバムリストファイル４０１を生成する処理が行われる。
【００８３】
Ｓ１５１では、前述したＳ１４１の処理によって表示部１９に表示させていた一括登録実行指示画面（図６（ｇ）に例示した画面）を消して、図３のＳ１１２の処理の実行以前に表示部１９に表示させていた撮影画像の表示画面（図６（ａ）若しくは図６（ｂ）に例示した画面）へ表示を戻す処理が行われる。その後はこの動画一括登録処理を終了し、図３へと処理を戻す。
【００８４】
以上までの処理が動画一括登録処理である。
なお、前述した画像再生処理におけるＳ１１３の処理において、アルバムに登録する対象画像に共通する属性として、音声付き画像という属性がユーザから指示された場合（図６（ｅ）の画面例に示す選択肢から「音声付画像で一括」が選択された場合）に、Ｓ１１４の処理として実行される処理、及び、Ｓ１１３の処理において消去禁止画像という属性がユーザから指示された場合（図６（ｅ）の画面例に示す選択肢から「消去禁止画像で一括」が選択された場合）に、Ｓ１１４の処理として実行される処理は、いずれも図５に示した動画一括登録処理と基本的には同様の処理内容となる。但し、Ｓ１４４及びＳ１４５のチェック対象が、画像データファイル３１１の属性情報における音声付情報であるか否かの識別情報若しくは消去禁止か許可かの消去プロテクト情報となる点で異なるものとなる。
【００８５】
以上の各種処理がＣＰＵ２１で行われることにより、複数画像のアルバムへの一括登録機能がカメラ１０で提供できるようになる。
なお、上述した実施形態においては、画像データファイル３１１が有している属性のうちのひとつについて共通なものを同一のアルバムへ一括登録するようにしていたが、２つの属性が共に共通なものを同一のアルバムへ一括登録するようにすることもできる。
【００８６】
例えば、動画像であって且つ消去禁止の設定がなされている画像を同一のアルバムへ登録するためには、例えば図３に示した処理をＣＰＵ２１に行わせるようにすればよい。但し、図３のＳ１１３の処理における画像データファイル３１１が有している属性についての指示の取得の際に、図６（ｅ）に例示するメニュー画面から「動画で一括」と「消去禁止画像で一括」との２つの選択肢の選択結果を属性の指示としてＣＰＵ２１が取得するようにし、続くＳ１１４の処理において図５の処理を実行するようにする。ここで、図５の処理を実行する際には、Ｓ１４４及びＳ１４５の処理において、画像データファイル３１１の拡張子（動画像の識別のため）及び画像データファイル３１１の属性情報のうちの消去禁止か許可かの消去プロテクト情報の両方をチェック対象とする。そして、この両者がいずれも共通するもののファイル名をＳ１５０の処理においてアルバムリスト４０２に並べるようにすればよい。
【００８７】
このように、画像データファイル３１１が有している各種の属性のうち２つの属性が共に共通なものを同一のアルバムへ一括登録できるようにすることにより、より細分化したアルバムの作成が簡単にできるようになる。
【００８８】
なお、同様の手法により、画像データファイル３１１が有している３つの以上の属性が共に共通なものを同一のアルバムへ一括登録するようにすることもできる。
次に、上述した手法等によってアルバムに登録された画像の再生機能について説明する。
【００８９】
なお、ここで説明する再生機能は、記憶媒体に記憶されている全ての画像データについての画像を表示部１９で順次再生する動作（全コマ再生動作）の途中でユーザから所定の指示を受け取ると、当該指示を受け取ったときに表示部１９で再生表示していた画像が登録されているアルバムについてのアルバム再生動作（当該アルバムに登録されている画像を順次再生表示する動作）を開始するというものである。
【００９０】
例えば、撮影日毎の画像のアルバムへの一括登録が前述した一括登録機能を用いてなされている場合、全コマ再生動作による閲覧の途中にユーザが表示中の画像と同日の撮影日の画像の閲覧を急に思い立ったときなどに、この再生機能は便利である。
【００９１】
なお、以下の説明において、この再生機能を「アルバムクイック再生機能」と称することとする。
まず、図７について説明する。同図は、図１に示したカメラ１０がアルバムクイック再生機能を提供する場合における機能ブロック図である。
【００９２】
画像再生部３１は、メモリカード１７に記憶されている画像データファイル３１１で表されている画像の再生表示を行うものであり、カメラ１０における表示部１９が画像再生部３１に相当する。
【００９３】
アルバム再生指示取得部３２は、アルバムに登録されている画像の再生の指示を取得する。
アルバム特定処理部３３は、アルバム再生指示取得部３２が上記の指示を取得したときに画像再生部３１が再生していた画像が登録されているアルバムを特定する処理（当該画像についての画像データファイル３１１のファイル名が記されているアルバムリスト４０２を、メモリカード１７に記憶されているアルバムリストファイル４０１の各々が有しているアルバムリスト４０２から特定する処理）を行う。
【００９４】
アルバム再生部３４は、アルバム特定処理部３３によって特定されたアルバムに登録されている画像を順次再生表示する。
検出部３５は、画像再生部３１で再生中の画像がいずれかのアルバムに登録されているか否か（当該画像についての画像データファイル３１１のファイル名が記されているアルバムリスト４０２が、いずれかのアルバムリストファイル４０１に存在するか否か）を検出する。
【００９５】
検出結果報知部３６は、検出部３５の検出結果をユーザへ報知する。
順序情報報知部３７は、グループ画像再生部３４が再生中の画像が登録されているアルバムに対して当該画像が登録された順番を示す情報を報知する。
【００９６】
グループ特定情報報知部３８は、グループ画像再生部３４が再生中の画像が登録されているアルバムのアルバム名をユーザへ報知する。
次に、上述した機能ブロックを構築するためにＣＰＵ２１で行われる制御処理について説明する。
【００９７】
図８は、画像再生処理の第二の例の処理内容を示すフローチャートである。同図に示す処理をＣＰＵ２１が行うことにより、前述した全コマ再生動作がカメラ１０で行われると共に、上述したアルバムクイック再生機能がカメラ１０で提供される。
【００９８】
以下、図８に示した処理について、表示部１９での表示画面例を示している図９を併せて参照しながら説明する。なお、この処理は、画像再生動作を行わせる設定（再生モード）の下でカメラ１０を起動させると開始される。
【００９９】
まず、Ｓ２０１において、画像の存在のチェックが行われ、続くＳ２０２において、画像が存在するか否かの判定処理が行われる。すなわち、カメラ１０で撮影された画像についての画像データファイル３１１を格納する画像格納フォルダ３１０内に、画像データファイル３１１が現在存在しているか否かを判定する処理が行われる。ここで、画像が存在する（判定結果がＹｅｓ）ならばＳ２０４に処理を進める。一方、画像が存在しない（判定結果がＮｏ）ならば、Ｓ２０３において、再生すべき画像がメモリカード１７に存在しない旨を示す表示を表示部１９に所定時間行わせ、その後はこの画像再生処理を終了してユーザからの指示の待ち受けの処理に移行する。
【０１００】
Ｓ２０４では、アルバムリストファイル４０１の存在のチェックが行われ、続くＳ２０５において、アルバムリストファイル４０１が存在するか否かの判定処理が行われる。すなわち、アルバムリストファイル４０１がメモリカード１７に記憶されているか否かを判定する処理が行われる。ここで、アルバムリストファイル４０１が存在する（判定結果がＹｅｓ）ならばＳ２０７に処理を進める。一方、画像が存在しない（判定結果がＮｏ）ならば、Ｓ２０６において、通常の全コマ再生動作の処理、例えば図３の画像再生処理を実行し、この図８の処理は終了する。
【０１０１】
Ｓ２０７では、画像格納フォルダ３１０に格納されている画像データファイル３１１のうち、カメラ１０で最後に撮影された画像についてのものを読み出し、その画像を表示部１９に表示させる処理が行われる。この処理によって表示部１９に表示される画面例は既に図６（ａ）に示したものと同様である。
【０１０２】
Ｓ２０８では、表示部１９で現在表示中の画像がいずれかのアルバムに既に登録されているか否かを判定する処理が行われる。すなわち、この画像についての画像データファイル３１１のファイル名が、メモリカード１７に記憶されているアルバムリストファイル４０１のアルバムリスト４０２のいずれかに並べられているか否かを判定する処理が行われる。ここで、この画像がいずれかのアルバムに既に登録済みである（判定結果がＹｅｓである）ならばＳ２１０に処理を進め、この画像がいずれのアルバムにも登録されていない（判定結果がＮｏである）ならばＳ２０９に処理を進める。このＳ２０８の処理を実行するＣＰＵ２１が図７おける検出部３５に相当する。
【０１０３】
Ｓ２０９では、操作入力部２３に対するユーザによる操作指示を取得し、その指示の内容が現在表示再生中の画像を切り換えて次の画像を表示させる指示であるか否かを判定する処理が行われる。ここで、次の画像を表示させる指示を取得したと判定した（判定結果がＹｅｓ）ならば、Ｓ２１３に処理を進める。一方、この指示を取得していないと判定した（判定結果がＮｏ）ならば、この指示を取得したと判定するまでＳ２０９の処理が繰り返される。
【０１０４】
Ｓ２１０では、現在表示中の画像がアルバムに登録されている旨、及びその画像の登録されているアルバムのアルバム名を示すアイコン、並びにコマ番号を表示部１９に表示させる処理が行われる。
【０１０５】
このＳ２１０では、より具体的には、表示中の画像についての画像データファイル３１１のファイル名が並べられているアルバムリスト４０２が格納されているアルバムリストファイル４０１をＣＰＵ２１が参照し、そのファイルに示されているアルバム名に対応するアイコンを表示部１９に表示させると共に、その画像がカメラ１０での撮影によりメモリカード１７に記憶されている撮影画像のうちの何コマ目のものであるかを示す数字をコマ番号として表示部１９に表示させる処理が行われる。
【０１０６】
このアイコン及びコマ番号が画像に重畳表示されている画像表示の例を図９（ａ）に示す。同図の例では、図６（ａ）の画面例と同様に、この時点での操作入力部２３の各スイッチ類に対する操作の意味を示す操作ガイドがこの画面例の下部に表示されており、更に、図６（ｂ）の画面例と同様に、表示中の画像が「ＡＬＢＵＭ１」なるアルバム名のアルバムに登録されていることを示す「Ａｌｂ１」なる文字付きのアイコンが画像の右側部分に重畳表示されている。このアイコンが表示されることによって、表示部１９に表示中の画像についての画像データファイル３１１のファイル名がアルバムリスト４０２に示されているアルバムリストファイル４０１の存在すること、更には、そのファイル名が、「ＡＬＢＵＭ１」なるアルバムについてのアルバムリストファイル４０１のアルバムリスト４０２に示されていること、がユーザに対して報知される。つまり、このアイコンを表示する表示部１９が図７における検出結果報知部３６に相当する。
【０１０７】
また、図９（ａ）において、画像の左側部分に重畳表示されている「１０」の文字は上述したコマ番号の表示である。この表示によって、表示中の画像がカメラ１０での撮影によりメモリカード１７に記憶されている１０コマ目の撮影画像であることがユーザに対し報知される。
【０１０８】
Ｓ２１１では、操作入力部２３に対するユーザによる操作指示を取得し、その指示の内容がアルバム再生の指示であるか否かを判定する処理が行われる。ここで、アルバム再生指示を取得したと判定した（判定結果がＹｅｓ）ならばＳ２１４に処理を進め、アルバム再生指示を取得していないと判定した（判定結果がＮｏ）ならばＳ２１２に処理を進める。
【０１０９】
なお、アルバム再生の指示については、例えば、次のようにして行う。すなわち、ユーザは、図９（ａ）の表示がされているときに、前述した操作ガイドに従って確定ボタン２３−２を押下する。この押下を認識したＣＰＵ２１は、図９（ｂ）に例示するような再生動作メニュー画面を表示部１９に表示させる。ここで、ユーザが十字ボタン２３−３、２３−４、２３−５、及び２３−６並びに確定ボタン２３−２を押下操作して当該メニュー画面から「このアルバムを再生」の選択を行う。この選択操作によってアルバム再生の指示がなされる。従って、この場合では、操作入力部２３が図７におけるアルバム再生指示取得部３２に相当する。
【０１１０】
Ｓ２１２では、操作入力部２３に対するユーザによる操作指示を取得し、その指示の内容が、現在表示再生中の画像を切り換えて次の画像を表示再生させる指示であるか否かを判定する処理が行われる。ここで、次の画像を表示させる指示を取得したと判定した（判定結果がＹｅｓ）ならばＳ２１３に処理を進める。一方、次の画像を表示再生させる指示を取得していないと判定した（判定結果がＮｏ）ならば、Ｓ２１１へと処理を戻し、操作入力部２３に対するユーザによる操作指示の取得処理を繰り返す。
【０１１１】
Ｓ２１３では、現在表示中のものに続く次の順序の画像を表示部１９に表示させる処理が行われ、その後はＳ２０８へと処理を戻して上述した処理が繰り返される。
なお、「次の画像の表示」の指示は、例えば、図９（ａ）の表示がされているときに、ユーザが十字ボタン２３−３、２３−４、２３−５、及び２３−６を操作することによってなされる。
【０１１２】
一方、前述したＳ２１１の処理においてアルバム再生指示を取得したと判定したときには、これより説明するＳ２１４からＳ２１８にかけてのアルバムクイック再生処理が開始される。なお、このアルバムクイック再生の開始時には、Ｓ２１１の処理でアルバム再生の指示を受け取る直前まで表示されていた画像、すなわち、全コマ再生動作によって再生表示されていた画像が表示部１９に表示され、この画像からアルバム登録画像の再生表示が順次行われる。
【０１１３】
Ｓ２１４では、表示部１９で現在表示中の画像が、どのアルバムに既に登録されているかを調べる処理が行われる。すなわち、この画像についての画像データファイル３１１のファイル名がアルバムリスト４０２に並べられているのは、メモリカード１７に記憶されているどのアルバムリストファイル４０１であるかを探し出す処理が行われる。この処理を実行するＣＰＵ２１が、図７におけるアルバム特定処理部３３に相当する。
【０１１４】
Ｓ２１５では、現在表示中の画像が登録されているアルバムのアルバム名を示すアイコンと、そのアルバムにおけるその画像のコマ番号を表示部１９に表示させる処理が行われる。
【０１１５】
このＳ２１５では、より具体的には、Ｓ２１４の処理によって探し出されたアルバムリストファイル４０１をＣＰＵ２１が参照し、そのファイルに示されているアルバム名に対応するアイコンを表示部１９に表示させると共に、現在表示中の画像についての画像データファイル３１１のファイル名が、そのアルバムリストファイル４０１のアルバムリスト４０２において何番目に並べられているかを計数し、その計数結果を示す数字をコマ番号として表示部１９に表示させる処理が行われる。
【０１１６】
このアイコン及びコマ番号が画像に重畳表示されている画像表示の例を図９（ｃ）に示す。同図の例では、図６（ａ）の画面例と同様に、この時点での操作入力部２３の各スイッチ類に対する操作の意味を示す操作ガイドがこの画面例の下部に表示されており、更に、表示中の画像が「ＡＬＢＵＭ１」なるファイル名のアルバムに登録されていることをユーザへ報知する「１」なる数字のアイコンが画像の左上部分に重畳表示されている。このアイコンを表示する表示部１９が、図７におけるアルバム特定情報報知部３８に相当する。
【０１１７】
また、図９（ｃ）において、画像の左下部分に重畳表示されている「３」の文字は上述したコマ番号の表示である。この表示によって、表示中の画像が「ＡＬＢＵＭ１」のアルバムにおける３コマ目の画像として登録されていることがユーザに対し報知される。このコマ番号を表示する表示部１９が、図７における順序情報報知部３７に相当する。
【０１１８】
Ｓ２１６では、操作入力部２３に対するユーザによる操作指示を取得し、その指示の内容が、現在表示再生中の画像を切り換えて、その画像が登録されているアルバムにおける次の順序の画像を表示再生させる指示であるか否かを判定する処理が行われる。ここで、次の画像を表示させる指示を取得したと判定した（判定結果がＹｅｓ）ならばＳ２１７に処理を進め、次の画像を表示再生させる指示を取得していないと判定した（判定結果がＮｏ）ならばＳ２１８へと処理を進める。
【０１１９】
Ｓ２１７では、Ｓ２１４の処理によって探し出されたアルバムにおいて現在表示中のものに続く次の順序の画像を表示部１９に表示させる処理が行われ、その後はＳ２１６へと処理を戻して上述した処理が繰り返される。
【０１２０】
なお、「次の画像の表示」の指示は、例えば、図９（ｃ）の表示がされているときに、ユーザが十字ボタン２３−３、２３−４、２３−５、及び２３−６を操作することによってなされる。
【０１２１】
Ｓ２１８では、操作入力部２３に対するユーザによる操作指示を取得し、その指示の内容がアルバム再生の終了の指示であるか否かを判定する処理が行われる。ここで、アルバム再生終了指示を取得したと判定した（判定結果がＹｅｓ）ならばＳ２０７へ処理を戻して全コマ再生動作のための処理を改めて開始する。一方、アルバム再生終了指示を取得していないと判定した（判定結果がＮｏ）ならばＳ２１６へ処理を戻し、操作入力部２３に対するユーザによる操作指示の取得以降の処理を繰り返す。この処理の繰り返しにより、アルバムに登録されている画像の順次再生表示が表示部１９で行われ、図７におけるアルバム再生部３４が構成される。
【０１２２】
なお、アルバム再生の終了指示については、例えば次のようにして行う。すなわち、ユーザは、図９（ｃ）の表示がされているときに、前述した操作ガイドに従って確定ボタン２３−２を押下する。この押下を認識したＣＰＵ２１は、図９（ｄ）に例示するような再生動作メニュー画面を表示部１９に表示させる。ここで、ユーザが十字ボタン２３−３、２３−４、２３−５、及び２３−６並びに確定ボタン２３−２を押下操作して当該メニュー画面から「通常再生へ戻る」の選択を行う。この選択操作によってアルバム再生の終了の指示がなされる。
【０１２３】
以上までの処理が画像再生処理の第二の例であり、この処理がＣＰＵ２１で行われることにより、カメラ１０で前述したアルバムクイック再生機能を提供できるようになる。
次に、メモリカード１７に記憶されている画像データファイル３１１の記憶消去機能について説明する。
【０１２４】
なお、ここで説明する消去機能は、メモリカード１７に記憶されている全ての画像データファイル３１１の消去の指示を取得した場合において、画像データファイル３１１のうちいずれかのアルバムに登録されている画像を表しているものについては、「全ての」画像データファイル３１１の消去の指示を既に受けているにも拘わらず、それらの消去を許可する指示を受け取った場合に限り消去する。一方、アルバムに登録されている画像の画像データファイル３１１については消去を禁止する指示を受けたときには、メモリカード１７に記憶されている画像データファイル３１１のうち、アルバムに登録されていない画像についてのもののみを消去するというものである。
【０１２５】
アルバムに登録されている画像は、メモリカード１７で記憶されている画像のうちでも保存しておく必要性の高いものであると一般的には考えられる。そこで、この消去機能を利用することにより、保存の不要な画像のみ（すなわち、アルバムに登録されていない画像の画像データファイル３１１のみ）をまず一括して消去することができる。従って、画像の保存の要・不要を１コマずつ判断しながら消去の指示を行うといった煩わしい作業が不要となり、作業が簡潔なものとなる。その一方で、この消去機能により、アルバムに登録されている画像の保存の必要性が薄れた場合には、この消去機能を利用することによって、アルバムに登録されている画像の画像データファイル３１１の一括消去も行うことができる。従って、例えば、撮影を行ったことによりメモリカード１７の未記憶領域が消費し尽くされた状況でなおも撮影を続けたいといった場合などでも、素早く記憶領域を確保することができる。
【０１２６】
以下、上述した画像データファイル３１１の記憶消去機能をカメラ１０で提供するためにＣＰＵ２１で行われる制御処理について説明する。
図１０は、画像再生処理の第三の例の処理内容を示すフローチャートである。同図に示す処理をＣＰＵ２１が行うことにより、上述した記憶消去機能がカメラ１０で提供される。
【０１２７】
以下、図１０に示した処理について、表示部１９での表示画面例を示している図１１を併せて参照しながら説明する。なお、この処理は、画像再生動作を行わせる設定（再生モード）の下でカメラ１０を起動させると開始される。
【０１２８】
図１０において、Ｓ３０１からＳ３０７にかけての処理は、図８に示した画像再生処理の第二の例におけるＳ２０１からＳ２０７にかけての処理と同様の処理内容であるので説明を省略する。なお、Ｓ３０７の処理を終えた時点における表示部１９の表示は、図１１（ａ）に示したものとなり、これは図６（ａ）に示したものと同様のものである。
【０１２９】
Ｓ３０８では、操作入力部２３に対するユーザによる操作指示を取得し、その指示の内容が、全コマ消去、すなわちメモリカード１７で記憶されている全ての画像の消去（画像データファイルの記憶の消去）であったか否かを判定する処理が行われる。ここで、全コマ消去指示を取得したと判定した（判定結果がＹｅｓ）ならばＳ３１０に処理を進める。一方、全コマ消去指示を取得していないと判定した（判定結果がＮｏ）ならばＳ３０９に処理を進め、取得した指示に応じた再生動作を実行させるための処理を実行し、その後はＳ３０８へ処理を戻してユーザによる操作指示の取得を再び行う。
【０１３０】
なお、全コマ消去の指示については、例えば、次のようにして行う。すなわち、ユーザは、図１１（ａ）の表示がされているときに、前述した操作ガイドに従って確定ボタン２３−２を押下する。この押下を認識したＣＰＵ２１は、図１１（ｂ）に例示するような再生動作メニュー画面を表示部１９に表示させる。ここで、ユーザが十字ボタン２３−３、２３−４、２３−５、及び２３−６並びに確定ボタン２３−２を押下操作して当該メニュー画面から「消去」の選択を行う。この選択結果を認識したＣＰＵ２１は、続いて図１１（ｃ）に例示するような消去方法メニュー画面を表示部１９に表示させる。ここで、ユーザが十字ボタン２３−３、２３−４、２３−５、及び２３−６並びに確定ボタン２３−２を再度押下操作して当該メニュー画面から「全コマ消去」の選択を行う。この選択操作によって全コマ消去の指示がなされる。
【０１３１】
Ｓ３１０では、所定の処理が実行中であることを示す、図１１（ｄ）に例示するような処理実行中画面を表示部１９に表示させる処理が行われる。
Ｓ３１１では、メモリカード１７に記憶されている画像データファイル３１１のうちの１つを参照し、この参照中の画像データファイル３１１で表されている画像がいずれかのアルバムに登録されているかどうか、すなわち、この参照中の画像データファイル３１１ファイル名が、メモリカード１７に記憶されているアルバムリストファイル４０１のアルバムリスト４０２のいずれかに並べられているかどうかを調べる処理が行われる。
【０１３２】
そして、続くＳ３１２において、この画像がいずれのアルバムにも登録されてないか否かを判定する処理が行われる。ここで、この画像がいずれのアルバムにも登録されていない（判定結果がＹｅｓ）ならば、Ｓ３１３において、この参照中の画像データファイル３１１の記憶をメモリカード１７から消去すると共に、ＲＡＭ１５の所定の記憶領域に定義されている、今回の全コマ消去において、少なくとも１コマ以上の画像データファイル３１１の消去を行ったことを示すフラグ（このフラグは初期値をオフとする）をオンとする処理が行われる。一方、Ｓ３１２の処理において、この画像がいずれかのアルバムに登録されていると判定した（判定結果がＮｏ）ならば、Ｓ３１３の処理を行うことなくそのままＳ３１４に処理を進める。
【０１３３】
Ｓ３１４では、メモリカード１７に記憶されている画像データファイル３１１の全てを対象として、画像がいずれのアルバムにも登録されていないかどうかの確認（すなわち、Ｓ３１２の判定処理）を行ったか否かを判定する処理が行われる。ここで、メモリカード１７に記憶されている画像データファイル３１１の全てについて上述した確認を行った（判定結果がＹｅｓ）ならばＳ３１５に処理を進める。一方、未確認の画像データファイル３１１が残されている（判定結果がＮｏ）ならばＳ３１１へ処理を戻し、未確認である画像データファイル３１１を参照の対象としてＳ３１１からＳ３１３にかけての処理を繰り返す。
【０１３４】
Ｓ３１５では、Ｓ３１０の処理によって表示部１９に表示させた処理実行中画面の表示を終了させる処理が行われる。
Ｓ３１６では、Ｓ３１１からＳ３１３にかけての処理の繰り返しにも拘わらず、画像データファイル３１１の記憶の消去を全く行わなかったか否か、すなわち、メモリカード１７で記憶されている画像のうちいずれのアルバムにも登録されていないものは全く存在していなかったのか否かを判定する処理が行われる。なお、この処理は、ＲＡＭ１５の所定の記憶領域に定義されている、前述したフラグがオンとされているか否かに基づいて判定すればよい。
【０１３５】
このＳ３１６の判定処理において、画像データファイル３１１の記憶の消去を全く行わなかった（判定結果がＹｅｓ）ならばＳ３１７に処理を進める。一方、少なくとも１コマ以上の画像についての画像データファイル３１１の記憶の消去を行っていた（判定結果がＮｏ）ならば、このままこの図１０の処理を終了する。
【０１３６】
Ｓ３１７では、ユーザに対し、いずれかのアルバムに登録されている画像も消去するか否か（メモリカード１７に依然として残されている画像データファイル３１１の記憶を消去するか否か）についての指示を要求する画面を表示部１９に表示させる処理が行われる。この要求画面の画面例を図１１（ｅ）に示す。
【０１３７】
Ｓ３１８では、操作入力部２３に対するユーザによる操作指示をＳ３０８の処理に続いて取得し、その指示の内容が、いずれかのアルバムに登録されている画像の消去の指示であったか否か、すなわち、メモリカード１７に記憶されているいずれかのアルバムリストファイル４０１のアルバムリスト４０２にファイル名が並べられている画像データファイル３１１の消去の指示であったか否かを判定する処理が行われる。ここで、当該消去指示を取得したと判定した（判定結果がＹｅｓ）ならばＳ３１９に処理を進める。一方、当該消去指示を取得していないと判定した（判定結果がＮｏ）ならば、このままこの図１０の処理を終了する。
【０１３８】
なお、いずれかのアルバムに登録されている画像の消去の消去指示については、例えば、次のようにして行う。すなわち、Ｓ３１７の処理によって図１１（ｅ）例示するようなアルバム登録画像一括消去指示画面が表示部１９に表示されているときに、ユーザが十字ボタン２３−３、２３−４、２３−５、及び２３−６並びに確定ボタン２３−２を押下操作して当該メニュー画面から「アルバム画像も消去」の選択を行う。この選択操作によって全コマ消去の指示がなされる。
【０１３９】
Ｓ３１９では、所定の処理が実行中であることを示す、図１１（ｄ）に例示するような処理実行中画面を表示部１９に表示させる処理が行われる。
Ｓ３２０では、メモリカード１７に残されていた画像データファイル３１１、すなわち、いずれかのアルバムに登録されていた画像データファイル３１１を全て消去すると共に、メモリカード１７に記憶されている全てのアルバムリストファイル４０１も消去する処理が行われる。
【０１４０】
Ｓ３２１では、アルバムに登録されていた画像についてのものも含め、メモリカード１７に記憶されていた全ての画像データファイル３１１の消去が完了したことを示す、図１１（ｆ）に例示するような画面を表示部１９に所定時間表示させる処理が行われ、その後はこの図１０の処理を終了する。
【０１４１】
以上までの処理が画像再生処理の第三の例であり、この処理がＣＰＵ２１で行われることにより、前述した画像データファイル３１１の記憶消去機能をカメラ１０で利用できるようになる。
【０１４２】
なお、図１０に示した処理においては、アルバムに登録されていない画像についての画像データファイル３１１の記憶とアルバムに登録されている画像についての画像データファイル３１１の記憶とのどちらか一方のみを一括消去するようにしており、特に、アルバムに登録されていない画像についての画像データファイル３１１がメモリカード１７に記憶されていなかったときにのみ、アルバム登録されている画像についての画像データファイル３１１の記憶の一括消去を行えるようにしていた。この代わりに、アルバムに登録されていない画像についての画像データファイル３１１がメモリカード１７に記憶されており、そのような画像データファイル３１１の記憶の消去を行った後に続けてアルバム登録されている画像についての画像データファイル３１１の記憶の一括消去を行えるようにすることもできる。そのためには、図１０においてはＳ３１５の処理に続けて実行されるＳ３１６の処理を削除し、Ｓ３１５の処理に続けてＳ３１７以降の処理を実行するようにすればよい。
【０１４３】
また、アルバムに登録されていない画像についての画像データファイル３１１の記憶とアルバムに登録されている画像についての画像データファイル３１１の記憶との両者の一括消去を可能とするのであれば、第一の記憶消去の指示である全コマ消去の指示と、第二の記憶消去の指示であるアルバムに登録されている画像の消去の指示との両者を先に取得し、この両者の指示に基づいてメモリカード１７における全ての画像データファイル３１１の記憶を一括消去するようにすることもできる。そのためには、図１０のフローチャートで示した各処理の流れの順序を、図１２に示すように変更すればよい。
【０１４４】
図１２に示すフローチャートにおいて、図１０と同一の処理内容の処理ステップには同一の符号を付している。
図１２について簡単に説明する。
【０１４５】
図１０のＳ３０７の処理に続くＳ３０８では、操作入力部２３に対するユーザによる操作指示を取得し、その指示の内容が、全コマ消去、すなわちメモリカード１７で記憶されている全ての画像の消去（画像データファイルの記憶の消去）であったか否かを判定する処理が行われる。ここで、全コマ消去指示を取得したと判定した（判定結果がＹｅｓ）ならばＳ３１７に処理を進める。一方、全コマ消去指示を取得していないと判定した（判定結果がＮｏ）ならばＳ３０９に処理を進め、取得した指示に応じた再生動作を実行させるための処理を実行し、その後はＳ３０８へ処理を戻してユーザによる操作指示の取得を再び行う。
【０１４６】
Ｓ３１７では、ユーザに対し、いずれかのアルバムに登録されている画像も消去するか否か（メモリカード１７に依然として残されている画像データファイル３１１の記憶を消去するか否か）についての指示を要求する図１１（ｅ）のような画面を表示部１９に表示させる処理が行われる。
【０１４７】
Ｓ３１８では、操作入力部２３に対するユーザによる操作指示をＳ３０８の処理に続いて取得し、その指示の内容が、いずれかのアルバムに登録されている画像の消去の指示、すなわちメモリカード１７に記憶されているいずれかのアルバムリストファイル４０１のアルバムリスト４０２にファイル名が並べられている画像データファイル３１１の消去の指示であったか否かを判定する処理が行われる。ここで、当該消去指示を取得したと判定した（判定結果がＹｅｓ）ならばＳ３１９に処理を進める。一方、当該消去指示を取得していないと判定した（判定結果がＮｏ）ならば、Ｓ３１０に処理を進める。
【０１４８】
Ｓ３１９からＳ３２１にかけての処理の処理内容は、図１０におけるものと同様であり、この処理によって、アルバムに登録されているか否かにかかわりなく、メモリカード１７に記憶されている全ての画像データファイル１１３が消去される。
【０１４９】
また、Ｓ３１０からＳ３１５にかけての処理、すなわち、アルバムに登録されていない画像についての画像データファイル３１１の記憶のみを消去する処理も図１０におけるものと基本的には同様であるが、Ｓ３１３において、少なくとも１コマ以上の画像データファイル３１１の消去を行ったことを示すフラグの操作がＳ３１３ａにおいては不要である。
【０１５０】
このような図１２の処理をＣＰＵ２１が実行することにより、アルバムに登録されていない画像についての画像データファイル３１１の記憶とアルバムに登録されている画像についての画像データファイル３１１の記憶との両者の一括消去を行うときに、画像がアルバム登録されているか否かの判定を行わずに（Ｓ３１２の判定処理を実行することなく）画像データファイル１１３の記憶の一括消去がなされるので、ＣＰＵ２１の処理量が削減され、結果としてカメラ１０での画像の一括消去に要する時間が短縮化される。
【０１５１】
また、図１０に示した処理では、アルバムに登録されている画像の一括消去を行わせると、メモリカード１７で記憶されているどのアルバムに登録されている画像についても一括消去を行っていた。この代わりに、指定されたアルバムに登録されている画像のみを消去するようにすることもできる。そのためには、図１０のフローチャートで示した処理のうちＳ３１９からＳ３２１にかけての処理内容を、図１３に示すように変更すればよい。
【０１５２】
図１３について説明する。
図１０におけるＳ３１８の判定処理において、いずれかのアルバムに登録されている画像の消去の指示を取得したと判定したとき（判定結果がＹｅｓのとき）には、Ｓ３３１において、メモリカード１７で記憶されているアルバムの一覧から登録画像を消去するアルバムをユーザに選択させるための画面を表示部１９に表示させると共に、ユーザからのアルバム選択の指示を取得する処理が行われる。この画面例を図１１（ｇ）に示す。
【０１５３】
図１１（ｇ）には、本（アルバム）の背表紙を模したイラストの各々に１から６までの数字が付されており、この表示により、画像の登録先のアルバムの選択候補として、「ＡＬＢＵＭ１」から「ＡＬＢＵＭ６」までの６つのアルバムがあることが分かる。また、同図において、「１」の数字が矩形で囲まれて表示されているが、これは、「ＡＬＢＵＭ１」が登録画像を消去する対象のアルバムとして選択されていることを示している。
【０１５４】
ここで、画像消去の対象とするアルバムの選択の切り換えは、ユーザが十字ボタン２３−３、２３−４、２３−５、及び２３−６を操作することによってなされる。そして、ユーザが確定ボタン２３−２を押下するとその時点で選択されていたアルバムが登録画像の消去対象のアルバムとして確定し、ＣＰＵ２１はそのアルバムをユーザによるアルバム毎の登録画像の消去指示として取得する。
【０１５５】
なお、この画像消去の対象とするアルバムを複数選択可能にしてもよい。
Ｓ３３２では、選択されたアルバムに登録されている画像を一括消去する処理の実行指示、若しくはその処理の実行中止指示を要求する画面を表示部１９に表示させる処理が行われる。
【０１５６】
この画面（処理実行指示画面）の画面例を図１１（ｈ）に示す。ＣＰＵ２１は、前述したカレンダー表示画面が表示されているときに操作入力部２３の確定ボタン２３−２に対する押下操作を検出したときにこの画面を表示部１９に表示させる。ここで、ユーザが操作入力部２３を更に操作して、処理実行の「ＯＫ」若しくは「中止」のいずれかを選択する。
【０１５７】
Ｓ３３３において、このユーザによる選択が処理実行の「ＯＫ」であったか否かを判定する処理が行われる。ここで、実行の「ＯＫ」が選択された（判定結果がＹｅｓ）ならばＳ３３４に処理を進め、実行の「中止」が選択された（判定結果がＮｏ）ならばこの図１０から図１３にかけての処理を終了する。
【０１５８】
Ｓ３３４では、所定の処理が実行中であることを示す、図１１（ｄ）に例示したような処理実行中画面を表示部１９に表示させる処理が行われる。
Ｓ３３５では、メモリカード１７における画像データファイル３１１の記憶のうち、Ｓ３３１の処理において選択されたアルバムについてのアルバムリストファイル４０１の有するアルバムリスト４０１にそのファイル名がならべられているものを全て消去すると共に、そのアルバムリストファイル４０１をも消去する処理が行われる。
【０１５９】
Ｓ３３６では、Ｓ３３３の処理によって表示部１９に表示させた処理実行中画面の表示を終了させる処理が行われ、その後は図１０から図１３にかけての処理を終了する。
このような図１３の処理をＣＰＵ２１が実行することにより、ユーザが指定したアルバムに登録されている画像のみの一括消去がカメラ１０で行えるようになる。
【０１６０】
ところで、以上までに説明した実施形態においては、カメラ１０で本発明を実施する例を説明したが、標準的な構成を有するコンピュータ、すなわち、コンピュータ全体の動作制御を司るＣＰＵ、このＣＰＵによって実行される基本制御プログラムやその実行の際に必要に応じて使用される各種のデータが格納されているＲＯＭ、ＣＰＵが各種の処理を行う際に必要に応じて作業用として使用するＲＡＭ、ＣＰＵによって実行される各種の制御プログラムやその実行の際に必要に応じて使用される各種のデータ及び画像データファイルを格納する磁気ディスク記憶装置、例えばマウス等のポインティングデバイスやキーボート装置などを有して構成されていてそれらに対する操作の内容に対応付けられているユーザからの指示を取得する入力部、例えばＣＤ（Compact Disc）やＭＯ（Magneto Optical ）ディスク、ＤＶＤ（Digital Versatile Disc）等の記録媒体に記録されている各種のデータを読み取るデータ読取装置、ＣＰＵ５１の指示に応じて所定の画像を表示する表示装置、他の機器との間で各種のデータの授受を行うインタフェース部、などを備えるコンピュータで本発明を実現させることも可能である。
【０１６１】
このようなコンピュータで本発明を実施するためには、例えば、これまでに説明した、カメラ１０のＣＰＵ２１に行わせていた各種の制御処理をこのコンピュータのＣＰＵに行わせるための制御プロプログラムを作成して上述したような記録媒体に記録しておき、その制御プログラムをコンピュータに読み込ませてＣＰＵで実行させればよい。
【０１６２】
なお、記録媒体としてはインターネット等の通信回線に接続されているプログラムサーバとして機能するコンピュータシステムが備えている記憶装置であってもよい。この場合には、上述した制御プログラムを表現するデータ信号で搬送波を変調して得られる伝送信号を、プログラムサーバから伝送媒体である通信回線を通じてこのコンピュータへ伝送するようにし、コンピュータではこの伝送信号を受信して復調して元の制御プログラムを再現することによりこの制御プログラムをＣＰＵで実行できるようになる。
【０１６３】
この他、本発明は、画像データの管理機能を備えているＰＤＡ（Personal Digital Assistant：個人向け携帯情報端末）や携帯電話などでも実施することができる。
その他、本発明は、上述した実施形態に限定されることなく、本発明の要旨を逸脱しない範囲内で種々の改良・変更が可能である。
【符号の説明】
【０１６４】
１０、１００ カメラ
１１  レンズ
１２  撮像部
１３  撮像処理部
１４  画像処理部
１５  ＲＡＭ
１６  メモリＩ／Ｆ部
１７、２００  メモリカード
１８  表示処理部
１９  表示部
２０  ＵＳＢ Ｉ／Ｆ
２１  ＣＰＵ
２２  ＲＯＭ
２３  操作入力部
２３−１  レリーズボタン
２３−２  確定ボタン
２３−３、２３−４、２３−５、２３−６  十字ボタン
２４  バス
３０  筐体
３１  ファインダ
３００  画像ルートフォルダ
３１０  画像格納フォルダ
３１１−１、３１１−２、３１１−ｎ  画像データファイル
４０１−１、４０１−２、４０１−ｎ  アルバムリストファイル
４０２−１、４０２−２、４０２−ｎ  アルバムリスト
【図１】
2010161813.tif 000003
【図２】
2010161813.tif 000004
【図３】
2010161813.tif 000005
【図４】
2010161813.tif 000006
【図５】
2010161813.tif 000007
【図６】
2010161813.tif 000008
【図７】
2010161813.tif 000009
【図８】
2010161813.tif 000010
【図９】
2010161813.tif 000011
【図１０】
2010161813.tif 000012
【図１１】
2010161813.tif 000013
【図１２】
2010161813.tif 000014
【図１３】
2010161813.tif 000015
【図１４】
2010161813.tif 000016